(57)【特許請求の範囲】
【請求項１】
記録媒体を記録及び／又は再生する記録及び／又は再生手段が配設されたシャーシと、
上記シャーシに対して後端側を回動可能に支持され、該シャーシより離間し記録媒体が挿入されるアンローディング位置と、該シャーシ側に近接し上記記録媒体が記録及び／又は再生されるローディング位置との間において上記記録媒体を保持するホルダと、
上記ホルダの上方に配設され、基端側を上記シャーシの後方側において回動可能に支持され先端側にヘッド装置が取り付けられたヘッドアームと、
上記ヘッドアーム側に突設されたヘッドアーム当接突片部を有し、上記ホルダに対して記録媒体の挿脱方向にスライド可能に支持されるスライダと、
上記シャーシと上記スライダとに両端部を回動可能に連接されたリンク部材とを備え、
上記ホルダがアンローディング位置に回動されたとき、上記リンク部材を介して上記スライダが記録媒体挿入方向にスライドされ、上記ヘッドアーム当接突片部が上記ヘッドアームと当接することにより上記ヘッドアームを上記ホルダに対して挿入される記録媒体の移動軌跡より退避させる位置へ移動させることを特徴とする記録及び／又は再生装置。
【請求項２】
上記ホルダ及び上記ヘッドアームの上方側に配設され、上記シャーシより離間した開蓋位置と、該シャーシ側の閉蓋位置との間において回動可能に後端側を支持される上蓋を備え、
上記スライダは上記上蓋側に突出した上蓋当接突片部を有し、上記ホルダがアンローディング位置に回動されたとき、上記リンク部材を介して上記スライダが記録媒体挿入方向にスライドされ、上記上蓋当接突片部が上記上蓋と当接することにより上記上蓋の上記ホルダへの接近を阻止することを特徴とする請求項１記載の記録及び／又は再生装置。
【請求項３】
上記上蓋当接突片部は、上記上蓋が開蓋位置に回動されたとき上記ホルダと上記上蓋とを、該上蓋が上記閉蓋位置であるときの該ホルダと該上蓋との距離よりも離間した位置に保持することを特徴とする請求項２記載の記録及び／又は再生装置。
【請求項４】
記録媒体を記録及び／又は再生する記録及び／又は再生手段が配設されたシャーシと、
上記シャーシに対して後端側を回動可能に支持され、該シャーシより離間し記録媒体が挿入されるアンローディング位置と、該シャーシ側に近接し上記記録媒体が記録及び／又は再生されるローディング位置との間において上記記録媒体を保持するホルダと、
上記ホルダの上方に配設され、基端側を上記シャーシの後方側において回動可能に支持され先端側にヘッド装置が取り付けられたヘッドアームと、
上記ホルダに対して記録媒体の挿脱方向にスライド可能に支持されるスライダと、
上記シャーシと上記スライダとに両端部を回動可能に連接されたリンク部材と、
上記ホルダに回動可能に取付けられ、上記ヘッドアームと当接する当接部を有する回動レバーとを備え、
上記ホルダがアンローディング位置に回動されたとき、上記リンク部材を介して上記スライダが記録媒体挿入方向にスライドされて上記回動レバーに当接し、該回動レバーが回動することにより上記当接部を上記ヘッドアームに当接させ、該ヘッドアームを上記ホルダに対して挿入される記録媒体の移動軌跡より退避させる位置へ移動させることを特徴とする記録及び／又は再生装置。
【請求項５】
上記ホルダ及び上記ヘッドアームの上方側に配設され、上記シャーシより離間した開蓋位置と、該シャーシ側の閉蓋位置との間において回動可能に後端側を支持される上蓋を備え、
上記回動レバーは、上記上蓋と当接するストッパ部を有し、上記ホルダがアンローディング位置に回動されたとき、上記リンク部材を介して上記スライダが記録媒体挿入方向にスライドされて、該スライダが上記回動レバーに当接し、該回動レバーが回動することにより上記ストッパ部を上記上蓋に当接させ、該上蓋の上記ホルダへの接近を阻止することを特徴とする請求項４記載の記録及び／又は再生装置。
【請求項６】
上記ストッパ部は、上記上蓋が開蓋位置に回動されたとき上記ホルダと上記上蓋とを、該上蓋が上記閉蓋位置であるときの該ホルダと該上蓋との距離よりも離間した位置に保持することを特徴とする請求項５記載の記録及び／又は再生装置。
【発明の詳細な説明】
【０００１】
【産業上の利用分野】
本発明は、ディスクカートリッジの如き記録媒体を用いて情報信号の記録及び／又は再生を行う記録及び／又は再生装置に関する。
【０００２】
【従来の技術】
従来、光ディスク、磁気ディスク、または、光磁気ディスクの如き記録ディスクをカートリッジに収納して構成されたディスクカートリッジを記録媒体として用いて、情報信号の記録及び／又は再生を行うように構成された記録及び／又は再生装置が提案されている。
【０００３】
上記記録媒体として光磁気ディスクをカートリッジに収納して構成されたディスクカートリッジを用いる記録及び再生装置は、光学ピックアップ装置及び磁気ヘッド装置を有して構成された記録及び／又は再生部を備えている。この記録及び再生部は、この記録及び再生装置のシャーシ上に配設されている。上記光学ピックアップ装置は、上記シャーシに支持されて上方側に向けて配設されている。上記磁気ヘッド装置は、上記光学ピックアップ装置に基端側を支持されたヘッドアームの先端側に取り付けられ、該光学ピックアップ装置の対物レンズに対向して下方側に向けて配設されている。
【０００４】
そして、この記録及び再生装置は、上記ディスクカートリッジを保持して、このディスクカートリッジを上記記録及び再生部に装着させるためのホルダとしてカートリッジホルダを備えている。
【０００５】
上記カートリッジホルダは、上記ディスクカートリッジが前方側より挿入されてこのディスクカートリッジを保持し得る薄い筐体状に構成され、後端側を上記シャーシに回動可能に支持されている。このカートリッジホルダは、上記光学ピックアップ装置と上記磁気ヘッド装置との間に位置して配設されている。このカートリッジホルダは、上記シャーシより上方側に離間されたアンローディング位置となされているときに、上記ディスクカートリッジの挿入操作及び取り出し操作をなされる。そして、このカートリッジホルダは、上記ディスクカートリッジを保持している状態で、上記シャーシに近接されたローディング位置となされると、このディスクカートリッジを、上記記録及び再生部に装着させる。
【０００６】
そして、この記録及び再生装置においては、上記カートリッジホルダ及び上記ヘッドアーム上には、上蓋が配設されている。この上蓋は、上記カートリッジホルダ及び上記ヘッドアームを覆い得るように下方側が開放された略々筐体状に構成され、後端側を回動可能に支持されている。この上蓋は、上記シャーシより離間する上方側に回動されて開蓋されると、上記カートリッジホルダを吊り上げて回動させて、上記アンローディング位置となすようになされている。
【０００７】
上記記録及び再生部において、上記ヘッド装置は、上記カートリッジホルダが上記ローディング位置となされたときに、このカートリッジホルダに開設された透孔を介して、上方側よりこのカートリッジホルダ内に進入され、上記ディスクカートリッジを構成する記録ディスクに近接される。そして、このヘッド装置は、上記カートリッジホルダが上記アンローディング位置となされたときには、上記カートリッジホルダ内より上方側に退出される。
【０００８】
【発明が解決しようとする課題】
ところで、上述のような記録及び再生装置においては、上記上蓋が開蓋状態となされ、上記カートリッジホルダが上記アンローディング位置となされたときには、上記磁気ヘッド装置は、これらカートリッジホルダと上蓋との間に位置し、該カートリッジホルダに挿入操作されるディスクカートリッジに衝突されないようになされている。
【０００９】
ところが、このとき、上記カートリッジホルダまたは上記上蓋が外力により回動されて、これらカートリッジホルダと上蓋とが互いに接近されると、上記磁気ヘッド装置は、該カートリッジホルダ内に進入されてしまう虞れがある。このような状態で上記ディスクカートリッジの上記カートリッジホルダへの挿入操作が行われると、このディスクカートリッジが上記磁気ヘッド装置に衝突して、この磁気ヘッド装置が破損される虞れがある。このような上記カートリッジホルダの回動は、このカートリッジホルダに上記ディスクカートリッジが挿入されるときの、これらカートリッジホルダとディスクカートリッジとの間の摩擦により生ずる虞れがある。
【００１０】
そこで、本発明は、上述の実情に鑑みて提案されるものであって、記録媒体を保持するホルダ内に対して進退されるヘッド装置を有し、このホルダへ挿入操作される記録媒体の該ヘッド装置への衝突が確実に防止された記録及び／又は再生装置を提供することを目的とする。
【００１１】
【課題を解決するための手段】
上述の課題を解決し上記目的を達成するため、本発明に係る記録及び／又は再生装置は、記録媒体を記録及び／又は再生する記録及び／又は再生手段が配設されたシャーシと、上記シャーシに対して後端側を回動可能に支持され、該シャーシより離間し記録媒体が挿入されるアンローディング位置と、該シャーシ側に近接し上記記録媒体が記録及び／又は再生されるローディング位置との間において上記記録媒体を保持するホルダと、上記ホルダの上方に配設され、基端側を上記シャーシの後方側において回動可能に支持され先端側にヘッド装置が取り付けられたヘッドアームと、上記ヘッドアーム側に突設されたヘッドアーム当接突片部を有し、上記ホルダに対して記録媒体の挿脱方向にスライド可能に支持されるスライダと、上記シャーシと上記スライダとに両端部を回動可能に連接されたリンク部材とを備え、上記ホルダがアンローディング位置に回動されたとき、上記リンク部材を介して上記スライダが記録媒体挿入方向にスライドされ、上記ヘッドアーム当接突片部が上記ヘッドアームと当接することにより上記ヘッドアームを上記ホルダに対して挿入される記録媒体の移動軌跡より退避させる位置へ移動させることを特徴とする。
【００１２】
また、本発明は、上述の記録及び／又は再生装置において、上記ホルダ及び上記ヘッドアームの上方側に配設され、上記シャーシより離間した開蓋位置と、該シャーシ側の閉蓋位置との間において回動可能に後端側を支持される上蓋を備え、上記スライダは上記上蓋側に突出した上蓋当接突片部を有し、上記ホルダがアンローディング位置に回動されたとき、上記リンク部材を介して上記スライダが記録媒体挿入方向にスライドされ、上記上蓋当接突片部が上記上蓋と当接することにより上記上蓋の上記ホルダへの接近を阻止することを特徴とする。
また、本発明は、上述の記録及び／又は再生装置において、上記上蓋当接突片部は、上記上蓋が開蓋位置に回動されたとき上記ホルダと上記上蓋とを、該上蓋が上記閉蓋位置であるときの該ホルダと該上蓋との距離よりも離間した位置に保持することを特徴とする
【００１３】
また、本発明に係る記録及び／又は再生装置は、記録媒体を記録及び／又は再生する記録及び／又は再生手段が配設されたシャーシと、上記シャーシに対して後端側を回動可能に支持され、該シャーシより離間し記録媒体が挿入されるアンローディング位置と、該シャーシ側に近接し上記記録媒体が記録及び／又は再生されるローディング位置との間において上記記録媒体を保持するホルダと、上記ホルダの上方に配設され、基端側を上記シャーシの後方側において回動可能に支持され先端側にヘッド装置が取り付けられたヘッドアームと、上記ホルダに対して記録媒体の挿脱方向にスライド可能に支持されるスライダと、上記シャーシと上記スライダとに両端部を回動可能に連接されたリンク部材と、上記ホルダに回動可能に取付けられ、上記ヘッドアームと当接する当接部を有する回動レバーとを備え、上記ホルダがアンローディング位置に回動されたとき、上記リンク部材を介して上記スライダが記録媒体挿入方向にスライドされて上記回動レバーに当接し、該回動レバーが回動することにより上記当接部を上記ヘッドアームに当接させ、該ヘッドアームを上記ホルダに対して挿入される記録媒体の移動軌跡より退避させる位置へ移動させることを特徴とする。
【００１４】
また、本発明は、上述の記録及び／又は再生装置において、上記ホルダ及び上記ヘッドアームの上方側に配設され、上記シャーシより離間した開蓋位置と、該シャーシ側の閉蓋位置との間において回動可能に後端側を支持される上蓋を備え、上記回動レバーは、上記上蓋と当接するストッパ部を有し、上記ホルダがアンローディング位置に回動されたとき、上記リンク部材を介して上記スライダが記録媒体挿入方向にスライドされて、該スライダが上記回動レバーに当接し、該回動レバーが回動することにより上記ストッパ部を上記上蓋に当接させ、該上蓋の上記ホルダへの接近を阻止することを特徴とする。
また、本発明は、上述の記録及び／又は再生装置において、上記ストッパ部は、上記上蓋が開蓋位置に回動されたとき上記ホルダと上記上蓋とを、該上蓋が上記閉蓋位置であるときの該ホルダと該上蓋との距離よりも離間した位置に保持することを特徴とする。
【００１５】
【作用】
本発明に係る記録及び／又は再生装置においては、先端側にヘッド装置が設けられたヘッドアームと当接されるヘッドアーム当接片部が形成されたスライダをホルダに対して記録媒体の挿脱方向にスライド自在に設け、ホルダのアンローディング位置への回動に応じてこのスライダをリンク機構によってスライド操作し、ヘッドアーム当接突片部をヘッドアームに当接させて、ヘッドアームの先端側に設けられたヘッド装置をホルダ内より退避させる。このように、ホルダのアンローディング位置への回動操作とリンクしてスライダが記録媒体の挿入方向にスライドされることにより、スライダに設けられたヘッドアーム当接片部をヘッドアームに当接させて、ヘッドアームの先端に設けられたヘッド装置をホルダ内より退避させることができる。
【００１６】
また、上述の記録及び／又は再生装置においては、さらにヘッドアームの上方に上蓋を備えるとともに、上蓋当接突片部が設けられたスライダを備えることにより、ホルダのアンローディング位置への回動に応じてこのスライダをリンク機構によってスライド操作し、上蓋当接突片部を上蓋に当接させて、ホルダと上蓋との間に一定の間隙を確保するものである。これにより、ホルダがアンローディング位置へ回動されたときに、上蓋がホルダ側に回動されヘッドアームに当接されることにより、ヘッド装置がホルダ内に進入してしまう事態を防止することができる。
【００１７】
また、本発明に係る記録及び／又は再生装置においては、先端側にヘッド装置が設けられたヘッドアームと当接される当接部が形成された回動レバーをホルダに対して回動自在に設け、ホルダのアンローディング位置への回動に応じてスライダをリンク機構によってスライド操作することにより回動レバーを回動させて、当接部によってヘッドアームの先端側に設けられたヘッド装置をホルダ内より退避させるものである。このように、ホルダのアンローディング位置への回動操作とリンクしてスライダが記録媒体の挿入方向にスライドされることにより、ホルダに設けられた回動レバーに形成された当接部をヘッドアームに当接させて、ヘッドアームの先端に設けられたヘッド装置をホルダ内より退避させることができる。
【００１８】
また、上述の記録及び／又は再生装置においては、さらにヘッドアームの上方に上蓋を備えるとともに、ストッパ部が設けられた回動レバーを備えることにより、ホルダのアンローディング位置への回動に応じてスライダをリンク機構によってスライド操作することにより回動レバーを回動させてストッパ部を上蓋に当接させて、ホルダと上蓋との間に一定の間隙を確保するものである。これにより、ホルダがアンローディング位置へ回動されたときに、上蓋がホルダ側に回動されヘッドアームに当接されることにより、ヘッド装置がホルダ内に進入してしまう事態を防止することができる。
【００１９】
【実施例】
以下、本発明の具体的な実施例を図面を参照しながら説明する。
この例は、本発明に係る記録及び／又は再生装置を、光磁気ディスクをカートリッジに収納して構成された記録及び再生用カートリッジを記録媒体として用いた情報信号の記録及び再生、並びに、光ディスクをカートリッジに収納して構成された再生専用カートリッジを記録媒体として用いた情報信号の再生を行う記録及び再生装置として構成した例である。
【００２０】
［１］ディスクカートリッジの構成
この記録及び再生装置において使用される光磁気ディスクは、直径が例えば６４ｍｍ程度のポリカーボネイトの如き透明合成樹脂材料よりなるディスク基板に、磁性材料からなる信号記録層が被着形成されて構成されている。この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束についての該記信号記録層におけるいわゆるカー効果による偏光方向の回転を検出することにより、読み出すことができる。
【００２１】
また、この記録及び再生装置において使用される上記光ディスクは、上記光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。この光ディスクに書き込まれている情報信号は、上記ピット列にレーザビームの如きコヒーレント光光束を照射し、この光束の反射光束についての該記信号記録層における拡散や干渉による光量の変化を検出することにより、読み出すことができる。
【００２２】
そして、上記光磁気ディスク及び光ディスクは、図９及至図１２に示すように、カートリッジ１０５，１１６に回転可能に収納されて、ディスクカートリッジを構成している。上記光磁気ディスクを収納して記録及び再生用ディスクカートリッジ１２０を構成する上記カートリッジ１０５は、一辺の長さが該光磁気ディスクの直径に略々対応した矩形状の主面部を有する薄い筐体状に構成されている。このカートリッジ１０５は、図９に示すように、上面側の主面部に、上記光磁気ディスクの信号記録面の一部を外方に臨ませるための磁気ヘッド用開口部１２３を有している。また、このカートリッジ１０５は、図１１に示すように、下面側の主面部の上記磁気ヘッド用開口部１２３に対向する位置に光学ピックアップ用開口部１２２を有し、この下面側の主面部の略々中央部分にチャッキング用開口部１１３を有している。この記録及び再生用ディスクカートリッジ１２０は、上記記録及び再生装置に対して、図９及び図１１中矢印Ｅで示すように、前方方向に挿入されて装着される。
【００２３】
上記記録及び再生用ディスクカートリッジ１２０のカートリッジ１０５において、上記磁気ヘッド用開口部１２３及び上記光学ピックアップ用開口部１２２は、シャッタ部材１０６に依って開閉可能となされている。このシャッタ部材１０６は、これら開口部１２３，１２２に対応した互いに平行に相対向されたシャッタ板部と、これらシャッタ板部の一端側同士間を連結する連結部とを有して、合成樹脂材料または金属材料により、一体的に構成されている。このシャッタ部材１０６は、上記連結部を、上記カートリッジ１０５の一側部に形成された支持溝部１０７に摺動可能に支持されている。すなわち、上記シャッタ部材１０６は、上記カートリッジ１０５の一側部に沿って後方にスライドされることにより上記各開口部１２３，１２２を開蓋し、後方側より前方にスライドされて初期位置に復帰されると上記各シャッタ板部により該各開口部１２３，１２２を閉蓋する。
【００２４】
そして、上記光ディスクを収納して再生専用ディスクカートリッジ１２１を構成する上記カートリッジ１１６は、一辺の長さが該光ディスクの直径に略々対応した矩形状の主面部を有する薄い筐体状に構成されている。このカートリッジ１１６は、図１０に示すように、上面側の主面部には、開口部を有していない。このカートリッジ１１６は、図１２に示すように、下面側の主面部に光学ピックアップ用開口部１２２を有し、この下面側の主面部の略々中央部分にチャッキング用開口部１１３を有している。この再生専用ディスクカートリッジ１２１は、上記記録及び再生装置に対して、図１０及び図１２中矢印Ｅで示すように、前方方向に挿入されて装着される。
【００２５】
上記再生専用ディスクカートリッジ１２１のカートリッジ１１６において、上記光学ピックアップ用開口部１２２は、シャッタ部材１１７に依って開閉可能となされている。このシャッタ部材１１７は、上記光学ピックアップ用開口部１２２に対応したシャッタ板部と、このシャッタ板部の一端側に設けられた支持部とを有して、合成樹脂材料または金属材料により、一体的に構成されている。このシャッタ部材１１７は、上記支持部を、上記カートリッジ１１６の一側部に形成された支持溝部１０７に摺動可能に支持されている。すなわち、上記シャッタ部材１１７は、上記カートリッジ１１６の一側部に沿って後方にスライドされることにより上記光学ピックアップ用開口部１２２を開蓋し、後方側より前方にスライドされて初期位置に復帰されると上記シャッタ板部により該光学ピックアップ用開口部１２２を閉蓋する。
【００２６】
上記各シャッタ部材１０６，１１７には、上記連結部または上記支持部の略々中央位置に、側方側に向けて、シャッタ閉蓋孔１０８が開設されている。このシャッタ閉蓋孔１０８は、上記記録及び再生装置において上記各シャッタ部材１０６，１１７を閉蓋操作するための部材が係合するためのものである。
【００２７】
上記光磁気ディスク及び上記光ディスクの中心部には、円形のチャッキング孔１０４が開設されている。このチャッキング孔１０４は、上面側より、チャッキングプレート１０２により閉蓋されている。このチャッキングプレート１０２は、鉄やステンレスの如き、磁性を有する金属材料により、上記チャッキング孔１０４に略々対応した直径の円盤状に形成されている。これらチャッキング孔１０４及びチャッキングプレート１０２は、上記チャッキング用開口部１１３を介して、上記各カートリッジ１０５，１１６の外方に臨んでいる。
【００２８】
そして、上記各カートリッジ１０５，１１６の下側主面部には、対をなす前方側及び後方側位置決め穴１０９，１１０が形成されている。上記前方側位置決め穴１０９は、上記光学ピックアップ用開口部１２２の前方側の主面部の縁部近傍に位置しており、長径方向が前後方向となされた長円形に形成されている。また、上記後方側位置決め穴１１０は、上記光学ピックアップ用開口部１２２の後方側の主面部の縁部近傍に位置しており、円形に形成されている。
【００２９】
また、上記各カートリッジ１０５，１１６の下側主面部後方側の他側側の縁部近傍には、複数の識別用穴１２４が形成されている。これら識別用穴１２４は、これらカートリッジ１０５，１１６が収納しているディスクの種別や状態、例えば情報信号の記録が可能か否かを識別するためのものである。上記記録及び再生用ディスクカートリッジ１２０のカートリッジ１０５内には、上記識別用穴１２４に対応して、後側面部にセーブノッチ１１４が設けられている。このセーブノッチ１１４は、移動操作されることにより、上記識別用穴１２４のうちの一の内部に進退し、この識別用穴１２４の深さを変えて、情報信号の記録可否の識別状態を切り換える。さらに、これら各カートリッジ１０５，１１６の下側主面部前方側の他側側の縁部には、被係合凹部１１２が形成されている。
【００３０】
上記記録及び再生用ディスクカートリッジ１２０のカートリッジ１０５においては、下側主面部の前方側縁部に、光磁気ディスク識別凹部１１１が形成されている。また、上記再生専用ディスクカートリッジ１２１のカートリッジ１１６においては、下側主面部の前方側縁部に、光ディスクディスク識別凹部１１８が形成されている。これら光磁気ディスク識別凹部１１１と光ディスク識別凹部１１８とは、互いに下側主面部よりの深さが異なっており、この深さの違いにより、収納されているディスクが上記光磁気ディスクか上記光ディスクかを識別できるようになされている。
【００３１】
［２］記録及び再生装置の構成の概要
この記録及び再生装置は、図１に示すように、外筐本体１及び上蓋２からなる外筐体を有して構成される。上記外筐本体１は、図２及び図３に示すように、上面側が開放されて構成されており、この上面側を上記上蓋２により開閉可能となされている。上記上蓋２は、後端側を、上記外筐本体１の後端側に対して、この上蓋２の回動中心軸となる上蓋支軸３を介して回動可能に支持されている。この上蓋２は、図１及び図３中矢印Ａで示すように、上記上蓋支軸３を中心に上方側に回動操作されることにより、図３に示すように、上記外筐本体１の上面側を開蓋する。なお、上記上蓋２は、上記外筐本体１に対し、掛止部材により閉蓋状態に掛止され、該外筐本体１に設けられた掛止解除ノブ９を操作することにより、該掛止部材による掛止を解除される。
【００３２】
この記録及び再生装置においては、上記上蓋２を開蓋して、上記外筐体内に上記記録及び再生用ディスクカートリッジ１２０または再生専用ディスクカートリッジ１２１を装着することにより、上記光磁気ディスクに対する情報信号の記録または再生、並びに、上記光ディスクよりの情報信号の再生を行うことができる。
【００３３】
上記外筐体の外面部には、この記録及び再生装置に対して種々の動作モードの実行を指示するための複数の操作釦が配設されている。すなわち、上記外筐体の外面部には、再生釦４、停止釦５、フォワードトラックジャンプ釦６、リバーストラックジャンプ釦７、録音釦８が配設され、これら各釦は、上記外筐体内に配設されこの記録及び再生装置の動作を制御する制御回路に接続されている。また、上記外筐体外面部には、上記制御回路または上記外筐体内に配設される信号処理回路に接続された複数の接続ジャック１０，１２，１３，１４が設けられている。これら接続ジャックは、情報信号の出力用、情報信号の入力用、リモートコントロール信号の入力用に使用されるものである。また、上記上蓋２の上面部には、上記制御回路に接続され、種々の情報を文字や図形により表示する表示デバイス１１が配設されている。
【００３４】
さらに、上記外筐体には、この記録及び再生装置に駆動電源を供給するための電池が収納される電池室１５が設けられている。
【００３５】
［３］記録及び再生装置の構成
上記外筐本体１内には、略々平板状のシャーシ２０が固定して配設されている。このシャーシ２０上には、記録媒体装着部を構成するディスクテーブル５４及びカートリッジ位置決めピン４６，４７、が配設されている。
【００３６】
上記ディスクテーブル５４は、上記シャーシ２０の下面部に取り付けられたスピンドルモータ５２の駆動軸に取り付けられている。この駆動軸は、上記シャーシ２０に設けられた透孔を介して、このシャーシ２０の上面側に突出されている。上記ディスクテーブル５４は、略々円盤状に形成されており、上記カートリッジ１０５，１１６のチャッキング用開口部１１３を介して該カートリッジ１０５，１１６内に進入され得るようになされている。このディスクテーブル５４は、上面部に上記チャッキング孔１０４に嵌入する突起部及び上記チャッキングプレート１０２を吸引するマグネットを有している。このディスクテーブル５４は、上記チャッキング用開口部１１３を介して上記カートリッジ１０５，１１６内に進入すると、外周縁部近傍に上記チャッキング孔１０４の周囲部を載置させるとともに、上記突起部を該チャッキング孔１０４内に嵌入させ、さらに、上記マグネットにより上記チャッキングプレート１０２を吸引することによって、上記光磁気ディスクまたは上記光ディスクを位置決めして保持することができる。このように上記ディスクテーブル５４により保持された光磁気ディスクまたは光ディスクは、上記スピンドルモータ５２により回転操作される。
【００３７】
上記カートリッジ位置決めピン４６，４７は、上記シャーシ２０上に突設されており、このシャーシ２０上に上記記録及び再生用ディスクカートリッジ１２０または上記再生専用ディスクカートリッジ１２１が載置されると、上記カートリッジ１０５，１１６の前方側及び後方側位置決め穴１０９，１１０に対応して嵌合されて、該カートリッジ１０５，１１６の位置決めを行う。
【００３８】
上記シャーシ２０の下面側には、光学ピックアップ装置３８が配設されている。この光学ピックアップ装置３８は、レーザダイオードの如き光源、この光源より発する光束を導く種々の光学デバイス及び受光素子を有し、対物レンズを介して上記光磁気ディスク及び上記光ディスクに光束を照射して、該光磁気ディスク及び光ディスクよりの情報信号の読み出しが行えるように構成されている。この光学ピックアップ装置３８は、上記シャーシ２０の下面側に互いに平行となされて配設された一対のガイドシャフト３９，４０により、これらガイドシャフト３９，４０に沿って移動可能に支持されている。この光学ピックアップ装置３８は、上記各ガイドシャフト３９，４０に沿って移動されることにより、上記スピンドルモータ５２により回転操作される光磁気ディスク及び光ディスクの信号記録領域の全域よりの情報信号の読み出しが行えるようになされている。
【００３９】
上記光学ピックアップ装置３８には、連結アーム３７及びヘッドアーム４２を介して、ヘッド装置である磁気ヘッド装置４５が取り付けられている。上記連結アーム３７は、上記光学ピックアップ装置３８に基端側を取り付けられ、先端側を上記シャーシ２０の後端縁よりも後方側に延在させている。この連結アーム３７の先端側は、上方側に屈曲され、先端部を上記シャーシ２０の上面部よりも高い位置となしている。この連結アーム３７の先端部には、支軸４１を介して、上記ヘッドアーム４２の基端側が回動可能に取り付けられている。上記磁気ヘッド装置４５は、上記ヘッドアーム４２の先端側に、ジンバルバネ４４を介して、下方側に向いて取り付けられており、上記光学ピックアップ装置３８の対物レンズに対向している。この磁気ヘッド装置４５は、上記ヘッドアーム４２が上記支軸４１回りに回動操作されることにより、上記対物レンズに対する接離方向に移動操作される。
【００４０】
上記シャーシ２０上には、上記光学ピックアップ装置３８と上記磁気ヘッド装置４５との間に介在されて、ホルダとなるカートリッジホルダ１６が配設されている。すなわち、上記ヘッドアーム４２は、上記上蓋２とこのカートリッジホルダ１６との間に位置している。このカートリッジホルダ１６は、上記記録及び再生用ディスクカートリッジ１２０及び上記再生専用ディスクカートリッジ１２１が開放された前方側より挿入され得る薄い筐体状に形成されている。このカートリッジホルダ１６は、後端側を、上記シャーシ２０の後方側に設けられた支持偏部２１に対して、このカートリッジホルダ１６の回動中心軸となるカートリッジホルダ支軸１９を介して、回動可能に支持されている。このカートリッジホルダ１６は、図３に示すように、上記シャーシ２０より離間する上方側に回動された位置であるアンローディング位置となされることにより、図３中矢印Ｂ及び矢印Ｃで示すように、前方側よりの上記各ディスクカートリッジ１２０，１２１の挿入操作及び前方側への該各ディスクカートリッジ１２０，１２１の取り出し操作が行えるようになされている。前方側より上記ディスクカートリッジ１２０，１２１を挿入されたカートリッジホルダ１６は、挿入されたディスクカートリッジ１２０，１２１を保持する。また、ディスクカートリッジ１２０，１２１は、上記カートリッジホルダ１６に挿入されることにより、上記シャッタ部材１０６，１１７を開蓋される。
【００４１】
そして、このカートリッジホルダ１６は、上面側に上記ヘッド装置４５が進入するための透孔が開設されており、また、下面側に上記ディスクテーブル５４及び上記各カートリッジ位置決めピン４６，４７が進入するとともに上記光学ピックアップ装置３８が上記各ディスクカートリッジ１２０，１２１に臨むための開口部が形成されている。このカートリッジホルダ１６は、上記ディスクカートリッジ１２０，１２１を保持した状態で、上記シャーシ２０に近接する下方側に回動された位置であるローディング位置となされると、保持しているディスクカートリッジ１２０，１２１を上記記録媒体装着部に装着させる。すなわち、上記ローディング位置となされたカートリッジホルダ１６に保持されているディスクカートリッジ１２０，１２１は、上記カートリッジ１０５，１１６を上記各カートリッジ位置決めピン４６，４７により位置決めされるとともに、上記光磁気ディスクまたは上記光ディスクを上記ディスクテーブル５４により位置決めされて保持される。このように上記記録媒体装着部に装着された上記記録及び再生用ディスクカートリッジ１２０においては、上記光磁気ディスクに対して、上記光学ピックアップ装置３８の対物レンズ及び上記磁気ヘッド装置４５が両面側より対向される。この記録及び再生装置が記録モードとなされたときには、上記磁気ヘッド装置４５は、上記カートリッジホルダ１６の上面側に開設された透孔を介して、該カートリッジホルダ１６内に進入し、上記光磁気ディスクに摺接される。また、上記記録媒体装着部に装着された上記再生専用ディスクカートリッジ１２１においては、上記光ディスクに対して、上記光学ピックアップ装置３８の対物レンズが対向される。
【００４２】
この記録及び再生装置においては、上記記録及び再生用ディスクカートリッジ１２０が上記記録媒体装着部に装着されることより、この記録及び再生用ディスクカートリッジ１２０の光磁気ディスクに対する情報信号の記録及び再生を行うことができる。また、この記録及び再生装置においては、上記再生専用ディスクカートリッジ１２１が上記記録媒体装着部に装着されることより、この再生専用ディスクカートリッジ１２１の光ディスクよりの情報信号の再生を行うことができる。
【００４３】
上記上蓋２の下面部には、前方側に位置して、上記カートリッジホルダ１６を上方側に吊り上げるための鈎状突片１８が設けられている。上記カートリッジホルダ１６の一側部の前方側には、上記鈎状突片１８に対応して、掛合片１７が設けられている。上記カートリッジホルダ１６が上記ローディング位置となされ、上記上蓋２が上記筐体本体１の上面部を閉蓋する閉蓋位置となされているときには、図２に示すように、上記鈎状突片１８の先端側部分は、上記掛合片１７の下方側、すなわち、上記シャーシ２０側に、該掛合突片１７に対して所定の距離を隔てて位置している。上記上蓋２が上方側に回動されると、まず、上記鈎状突片１８の先端側部分が、上記掛合片１７の下面部に当接する。このとき、上記カートリッジホルダ１６は、未だ、上記ローディング位置となされている。そして、さらに、上記上蓋２が上方側に回動されて、図３に示す開蓋位置となされると、上記カートリッジホルダ１６は、上記掛合片１７を上記鈎状突片１８により吊り上げられて、上記アンローディング位置まで回動される。このとき、上記上蓋２と上記カートリッジホルダ１６との間には、図３中矢印Ｄで示すように、該上蓋２が上記閉蓋位置であるときよりも広い空隙が形成されている。このように、上記鈎状突起１８の先端側部分と上記掛合片１７とが当接したときに上記上蓋２とカートリッジホルダ１６との間に形成された空隙は、このカートリッジホルダ１６が上記ローディング位置より上記アンローディング位置までに亘って回動されるとき、一定の距離に維持される。
【００４４】
上記開蓋位置となされた上蓋２を下方側に回動させると、先ず、上記カートリッジホルダ１６が上記ローディング位置まで回動され、次いで、上記鈎状突起１８の先端側部分と上記掛合片１７とが離間され、そして、この上蓋２が上記閉蓋位置となされる。
【００４５】
上記カートリッジホルダ１６の一側面部には、ストッパ手段を構成するスライダ２６が、取り付けられている。このスライダ２６は、上記カートリッジホルダ１６の一側面部に突設された前後一対の支持ピン２８，２７を前後一対の長穴３０，２９に対応させて挿通させることにより、前後方向にスライド可能に支持されている。このスライダ２６の略々中央部には、支軸２５を介して、略々直線状のリンク２４の一端側が回動可能に取り付けられている。このリンク２４の他端側は、上記シャーシ２０に設けられた支持片２２に、支軸２３を介して、回動可能に取り付けられている。上記スライダ２６は、図２及び図３に示すように、上記カートリッジホルダ１６の上記シャーシ２０に対する回動に連動して、上記リンク２４によって、前後方向にスライド操作される。すなわち、このスライダ２６は、上記カートリッジホルダ１６が上記ローディング位置にあるときには、図２に示すように、前方側位置となされ、該カートリッジホルダ１６が上記アンローディング位置にあるときには、図３に示すように、後方側位置となされる。
【００４６】
上記スライダ２６の後端側には、上方側に向けて突設された当接突片部３５が設けられている。そして、このスライダ２６の前端側には、ヘッドアッパ手段となるヘッドアーム当接突片部３６が上方側に向けて突設されている。上記当接突片部３５の上端側の後方側部分は、後方側に傾斜された当接テーパ部３１となされている。また、上記ヘッドアーム当接突片部３６の上端側の後方側部分は、後方側に傾斜されたヘッドアーム当接テーパ部３２となされている。
【００４７】
上記上蓋２の下面部には、上記スライダ２６が前方側位置であるときに上記当接突片部３５の後方側となる位置に、当接突起部３３が下方側に向けて突設されている。この当接突起部３３の下端部の前方側部分は、前方側に向けて傾斜された当接テーパ部３４となされている。
【００４８】
上記ヘッドアーム４２の先端側には、上記スライダ２６が前方側位置であるとのに上記ヘッドアーム当接突片部３６の後方側位置に延在される被当接片部４３が突設されている。
【００４９】
上記スライダ２６は、上記上蓋２が開蓋位置となされ、上記カートリッジホルダ１６が上記アンローディング位置となされることにより、後方側にスライドされると、図３に示すように、上記当接突片部３５の当接テーパ部３１を上記当接突起部３３の当接テーパ部３４に当接させる。このように、上記当接突片部３５と上記当接突起部３３とが互いに当接すると、上記カートリッジホルダ１６と上記上蓋２とは、互いに近接する方向の回動が阻止され、互いの間に一定距離の空隙部を保持する。
【００５０】
また、このように後方側にスライドされた上記スライダ２６は、上記ヘッドアーム当接突片部３６のヘッドアーム当接テーパ部３２を上記ヘッドアーム４２の被当接片部４３に当接させ、このヘッドアーム４２を上方側に回動させる。このようにスライダ２６により上方側に回動されたヘッドアーム４２は、上記磁気ヘッド装置４５を上記カートリッジホルダ１６内より上方側に退出させている。このように上方側に回動されたヘッドアーム４２は、上記上蓋２と上記カートリッジホルダ１６とが外力により互いに接近されることがないので、該外力により上記磁気ヘッド装置４５を該カートリッジホルダ１６内に進入させてしまうことがない。
【００５１】
そして、上記上蓋２が下方側に回動されるときには、上記カートリッジホルダ１６が上記ローディング位置に至るまでに上記スライダ２６が前方側にスライドされるので、該カートリッジホルダ１６が該ローディング位置に至った後の該上蓋２の下方側への回動が阻害されることがない。
【００５２】
［４］記録及び再生装置の構成の他の例（１）
この記録及び再生装置において、上記ストッパ手段は、図４及び図５に示すように、上記上蓋２の下面部に下方に向けて突設された第１の突起部４８と、上記カートリッジホルダ１６の上面部に上方に向けて突設された第２の突起部５０とから構成されるものとしてもよい。この場合には、上記スライダ２６に上記当接突片部３５は形成されず、また、上記上蓋２に上記当接突起部３３は配設されない。
【００５３】
上記第１及び第２の突起部４８，５０は、図４に示すように、上記上蓋２が上記閉蓋位置となされ上記カートリッジホルダ１６が上記ローディング位置となっているときには互いに前後方向に配列された状態に位置している。そして、上記上蓋２が上方側に回動され、上記鈎状突起１８の先端側部分が上記掛合片１７に当接したときには、上記第１及び第２の突起部４８，５０は、前後方向の位置関係を維持したまま、該第１の突起部４８の下端部４９が該第２の突起部５０の上端部５１よりも上方となる位置関係となされる。そして、上記上蓋２が上記開蓋位置まで回動され、上記カートリッジホルダ１６が上記アンローディング位置まで回動されるときには、この上蓋２が、該カートリッジホルダ１６を支持する上記カートリッジホルダ支軸１９とは異なる位置に上記上蓋支軸３を有していることにより、上記第１及び第２の突起部４８，５０は、前後方向の位置関係を、互いに接近する方向に変化される。そして、上記上蓋２が上記開蓋位置まで回動されると、図５に示すように、上記第１及び第２の突起部４８，５０は、互いに下端部４９及び上端部５１を当接させる。
【００５４】
このように、上記第１の突起部４８の下端部４９と上記第２の突起部５０の上端部５１とが当接させた状態においては、上記カートリッジホルダ１６と上記上蓋２とは、互いに近接する方向の回動が阻止され、互いの間に一定距離の空隙部を保持する。このとき、上記スライダ２６は、後方側にスライドされ、上記ヘッドアーム当接突片部３６のヘッドアーム当接テーパ部３２を上記ヘッドアーム４２の被当接片部４３に当接させ、このヘッドアーム４２を上方側に回動させている。このとき、上記ヘッドアーム４２は、上記磁気ヘッド装置４５を上記カートリッジホルダ１６内より上方側に退出させている。このように上方側に回動されたヘッドアーム４２は、上記上蓋２と上記カートリッジホルダ１６とが外力により互いに接近されることがないので、該外力により上記磁気ヘッド装置４５を該カートリッジホルダ１６内に進入させてしまうことがない。
【００５５】
そして、上記上蓋２が下方側に回動されるときには、上記カートリッジホルダ１６が上記ローディング位置に至るまでに、上記第１及び第２の突起部４８，５０は、互いに前後方向に移動されるので、該カートリッジホルダ１６が該ローディング位置に至った後の該上蓋２の下方側への回動を阻害しない。
【００５６】
［５］記録及び再生装置の構成の他の例（２）
この記録及び再生装置において、上記ストッパ手段及びヘッドアッパ手段は、図６及至図８に示すように、上記カートリッジホルダ１６により前後方向にスライド可能に支持された上記スライダ２６と、このスライダ２６及び上記シャーシ２０に両端側を回動可能に連結された上記リンク２４と、該カートリッジホルダ１６に回動可能に取り付けられストッパ部６３及びヘッドアッパ部６４を有する回動レバー６０とから構成されたものとしてもよい。
【００５７】
なお、この場合には、上記スライダ２６に上記当接突片部３５及び上記ヘッドアーム当接突片部３６は形成されず、また、上記上蓋２に上記当接突起部３３及び上記第１の突起部４８は配設されず、さらに、上記カートリッジホルダ１６に上記第２の突起部５０は配設されない。
【００５８】
上記回動レバー６０は、図８に示すように、上記カートリッジホルダ１６の側面部に、支軸６１を介して回動可能に取り付けられている。この回動レバー６０は、上記ヘッドアーム４２の移動可能範囲に亘ってこのヘッドアーム４２と上記カートリッジホルダ１６との間に延在された上記ヘッドアッパ部６４と、該ヘッドアーム４２の移動範囲外の該カートリッジホルダ１６上に位置するストッパ部６３とを有して、一体的に形成されている。これらヘッドアッパ部６４及びストッパ部６３は、上記支軸６１よりも後方側に延設されている。また、この回動レバー６０は、上記支軸６１の下方側に延設された被当接部６２を有している。この回動レバー６０は、上記スライダ２６の後方側に位置して配設されている。
【００５９】
上記スライダ２６の後端部には、当接部６５が設けられている。この当接部６５は、上記回動レバー６０の上記被当接部６２に対向している。
【００６０】
この記録及び／又は再生装置においては、上記カートリッジホルダ１６がローディング位置であるときには、図６に示すように、上記スライダ２６は、上記リンク２４により前方側にスライドされ、上記回動レバー６０より離間した位置となされている。そして、上記上蓋２が開蓋位置となされ上記カートリッジホルダ１６がアンローディング位置となされたときには、図７に示すように、上記スライダ２６は、後方側にスライドされ、上記回動レバー６０の被当接部６２に上記当接部６５を当接させて、この回動レバー６０を、図７中矢印Ｆで示すように、上記ストッパ部６３及び上記ヘッドアッパ部６４が上昇する方向に回動させる。
【００６１】
上記スライダ２６により回動された回動レバー６０は、上記ストッパ部６３を上記上蓋２に当接させ、上記カートリッジホルダ１６の該上蓋２への接近を阻止する。また、このとき、上記回動レバー６０は、上記ヘッドアッパ部６４を上記ヘッドアーム４２に当接させ、このヘッドアーム４２の上記カートリッジホルダ１６への接近を阻止する。したがって、このとき、上記ヘッドアーム４２は、上記磁気ヘッド装置４５を上記カートリッジホルダ１６内より上方側に退出させている。
【００６２】
このように上方側に回動されたヘッドアーム４２は、上記上蓋２と上記カートリッジホルダ１６とが外力により互いに接近されることがなく、また、上記ヘッドアッパ部６４に支持されているので、該外力により上記磁気ヘッド装置４５を該カートリッジホルダ１６内に進入させてしまうことがない。
【００６３】
そして、上記上蓋２が下方側に回動されるときには、上記カートリッジホルダ１６が上記ローディング位置に至るまでに、上記スライダ２６が前方側にスライドされて上記回動レバー６０が上記ストッパ部６３及び上記ヘッドアッパ部６４を降下させる方向に回動されるので、該カートリッジホルダ１６が該ローディング位置に至った後の該上蓋２の下方側への回動が阻害されることがない。
【００６４】
【発明の効果】
上述のように、本発明に係る記録及び／又は再生装置においては、先端側にヘッド装置が設けられたヘッドアームと当接されるヘッドアーム当接片部が形成されたスライダをホルダに対して記録媒体の挿脱方向にスライド自在に設け、ホルダのアンローディング位置への回動に応じてこのスライダをリンク機構によってスライド操作し、ヘッドアーム当接突片部をヘッドアームに当接させて、ヘッドアームの先端側に設けられたヘッド装置をホルダ内より退避させる。したがって、ホルダのアンローディング位置への回動操作とリンクしてスライダが記録媒体の挿入方向にスライドされることにより、スライダに設けられたヘッドアーム当接片部をヘッドアームに当接させて、ヘッドアームの先端に設けられたヘッド装置をホルダ内より退避させることができる。
【００６５】
また、上述の記録及び／又は再生装置においては、さらにヘッドアームの上方に上蓋を備えるとともに、上蓋当接突片部が設けられたスライダを備えることにより、ホルダのアンローディング位置への回動に応じてこのスライダをリンク機構によってスライド操作し、上蓋当接突片部を上蓋に当接させて、ホルダと上蓋との間に一定の間隙を確保するものである。したがって、ホルダがアンローディング位置へ回動されたときに、上蓋がホルダ側に回動されヘッドアームに当接されることにより、ヘッド装置がホルダ内に進入してしまう事態を防止することができる。
【００６６】
また、上述したように、本発明に係る記録及び／又は再生装置においては、先端側にヘッド装置が設けられたヘッドアームと当接される当接部が形成された回動レバーをホルダに対して回動自在に設け、ホルダのアンローディング位置への回動に応じてスライダをリンク機構によってスライド操作することにより回動レバーを回動させて、当接部によってヘッドアームの先端側に設けられたヘッド装置をホルダ内より退避させるものである。したがって、ホルダのアンローディング位置への回動操作とリンクしてスライダが記録媒体の挿入方向にスライドされることにより、ホルダに設けられた回動レバーに形成された当接部をヘッドアームに当接させて、ヘッドアームの先端に設けられたヘッド装置をホルダ内より退避させることができる。
【００６７】
また、上述の記録及び／又は再生装置においては、さらにヘッドアームの上方に上蓋を備えるとともに、ストッパ部が設けられた回動レバーを備えることにより、ホルダのアンローディング位置への回動に応じてスライダをリンク機構によってスライド操作することにより回動レバーを回動させてストッパ部を上蓋に当接させて、ホルダと上蓋との間に一定の間隙を確保するものである。したがって、ホルダがアンローディング位置へ回動されたときに、上蓋がホルダ側に回動されヘッドアームに当接されることにより、ヘッド装置がホルダ内に進入してしまう事態を防止することができる。
【００６９】
すなわち、本発明は、記録媒体を保持するホルダ内に対して進退されるヘッド装置を有し、このホルダへ挿入操作される記録媒体の該ヘッド装置への衝突が確実に防止された記録及び／又は再生装置を提供することができるものである。
【図面の簡単な説明】
【図１】本発明に係る記録及び／又は再生装置の外観の構成を示す斜視図である。
【図２】上記記録及び／又は再生装置の内部の構成を示す側面図である。
【図３】上記記録及び／又は再生装置が開蓋操作された状態を示す側面図である。
【図４】本発明に係る記録及び／又は再生装置の内部の構成の他の例を示す側面図である。
【図５】上記図４に示した記録及び／又は再生装置が開蓋操作された状態を示す側面図である。
【図６】本発明に係る記録及び／又は再生装置の内部の構成のさらに他の例を示す側面図である。
【図７】上記図６に示した記録及び／又は再生装置が開蓋操作された状態を示す側面図である。
【図８】上記図６に示した記録及び／又は再生装置の要部となる回動レバーの構成を示す要部拡大斜視図である。
【図９】上記記録及び／又は再生装置において記録媒体として使用される記録及び再生用ディスクカートリッジの構成を示す上面側より臨んだ斜視図である。
【図１０】上記記録及び／又は再生装置において記録媒体として使用される再生専用ディスクカートリッジの構成を示す上面側より臨んだ斜視図である。
【図１１】上記記録及び再生用ディスクカートリッジの構成を示す底面側より臨んだ斜視図である。
【図１２】上記再生専用ディスクカートリッジの構成を示す底面側より臨んだ斜視図である。
【符号の説明】
２・・・・・・・・・・・・上蓋
３・・・・・・・・・・・・上蓋支軸
１６・・・・・・・・・・・・カートリッジホルダ
１９・・・・・・・・・・・・カートリッジホルダ支軸
２０・・・・・・・・・・・・シャーシ
２４・・・・・・・・・・・・リンク
２６・・・・・・・・・・・・スライダ
３２・・・・・・・・・・・・ヘッドアーム当接テーパ部
３３・・・・・・・・・・・・当接突起部
３８・・・・・・・・・・・・光学ピックアップ装置
４２・・・・・・・・・・・・ヘッドアーム
４５・・・・・・・・・・・・磁気ヘッド装置
４６，４７・・・・・・カートリッジ位置決めピン
４８・・・・・・・・・・・・第１の突起部
５０・・・・・・・・・・・・第２の突起部
５４・・・・・・・・・・・・ディスクテーブル
６０・・・・・・・・・・・・回動レバー
６３・・・・・・・・・・・・ストッパ部
６４・・・・・・・・・・・・ヘッドアッパ部
１２０・・・・・・・・・・・・記録及び再生用ディスクカートリッジ
１２１・・・・・・・・・・・・再生専用ディスクカートリッジ
【図１】
0003610587.tif 000002
【図２】
0003610587.tif 000003
【図３】
0003610587.tif 000004
【図４】
0003610587.tif 000005
【図５】
0003610587.tif 000006
【図６】
0003610587.tif 000007
【図７】
0003610587.tif 000008
【図８】
0003610587.tif 000009
【図９】
0003610587.tif 000010
【図１０】
0003610587.tif 000011
【図１１】
0003610587.tif 000012
【図１２】
0003610587.tif 000013